(57)【特許請求の範囲】
【請求項１】
外部からの電源および信号が電気的に接続される第１のコネクタを下面に備えた取付板と、
該第１のコネクタと電気的に接続する第２のコネクタを備えたカメラ本体とからなる監視カメラ装置において、
該取付板は該カメラ本体を固定する複数の第１の嵌合部を備え、
前記カメラ本体は該第１の嵌合部と嵌合する第２の嵌合部と、
前記第１のコネクタの方向へ直線移動が可能に、該第２のコネクタを搭載するスライド部材とを備え、
該第２の嵌合部は、前記カメラ本体を前記取付板に当接させ回転することにより前記第１の嵌合部と嵌合し、
前記カメラ本体を前記取付板に取り付けた状態で該スライド部材を前記第１のコネクタの方向へスライドさせることにより前記第１のコネクタと前記第２のコネクタを電気的に接続させるようにした監視カメラ装置。
【請求項２】
第２の嵌合部は、カメラ本体を取付板に当接させ回転させると、第１の嵌合部の端面と当接することにより位置決めされる係止部を備え、
該係止部が該第１の嵌合部の端面と当接すると、第２のコネクタが第１のコネクタと嵌合する直線位置に位置決めされるようにしたことを特徴とする請求項１に記載の監視カメラ装置。
【請求項３】
第１の嵌合部の端面と第２の嵌合部の係止部が当接して嵌合すると、第１のコネクタおよび第２のコネクタが同一の高さ位置になるように第１のコネクタおよび第２のコネクタを設置したことを特徴とする請求項１に記載の監視カメラ装置。
【請求項４】
スライド部材は、カメラ本体を取付板に取り付ける際、第１のコネクタと第２のコネクタが接触しない位置に保持される位置決め手段を備えたことを特徴とする請求項１に記載の監視カメラ装置。
【発明の詳細な説明】
【０００１】
【発明の属する技術分野】
この発明は、天井や壁などに取り付けて使用する監視カメラ装置に関するもので、特にカメラ本体の設置工事を容易にした監視カメラ装置に関するものである。
【０００２】
【従来の技術】
図８は従来の監視カメラ装置およびその天井への取付構造の概略を示した図である。図８において、１０１はカメラ本体で内部には基板（図示せず）、カメラ制御機構（図示せず）およびカメラ（図示せず）を備えており、外部からカメラは直接見えない、いわゆるドーム型の監視カメラ装置である。１０２はカメラ本体側電源ケーブル、１０３はカメラ本体側信号ケーブルで、それぞれの一端はカメラ本体１０１内の基板（図示せず）に接続され、それぞれの他端にはカメラ本体側電源コネクタ１０４およびカメラ本体側信号コネクタ１０５を備えている。１０６は円盤状の取付板でカメラ本体１０１を取り付けるための複数の嵌合部１０７を有している。１０８は取付板側電源ケーブル、１０９は取付板側信号ケーブルで電源および信号が供給される。ケーブルの先端にはそれぞれ取付板側電源コネクタ１１０および取付板側信号コネクタ１１１を備えている。１１２は吊り下げチェーンでカメラ本体１０１を取付板１０６に取り付ける際に落下防止の為に用いる。１１３は取付ネジである。
【０００３】
次に従来の監視カメラ装置の取付構造について説明する。取付板１０６は取付ネジ１１３によって天井１１４に固定されている。取付板１０６は中央に孔が空いておりさらに取付板１０６の孔に対応した位置の天井１１４にも孔が空いている。この孔を通して取付板側電源ケーブル１０８と取付板側信号ケーブル１０９を取付板１０６より下方に出しておく。取付板１０６はその周辺に複数の嵌合部１０７を備えている。カメラ本体１０１は嵌合部１０７に対応した位置にカメラ本体側嵌合部（図示せず）を備え、嵌合部１０７とカメラ本体側嵌合部を嵌合することによってカメラ本体１０１を取付板１０６に固定する。
【０００４】
次に従来の監視カメラ装置の電気的接続について説明する。カメラ本体１０１内の基板（図示せず）にはカメラ本体側電源ケーブル１０２およびカメラ本体側信号ケーブル１０３が接続されている。基板（図示せず）にはカメラ本体側電源コネクタ１０４を上述の取付板側電源コネクタ１１０と接続させることで電源が供給される。また同様にカメラ本体側信号コネクタ１０５を取付板側信号コネクタ１１１と接続させることで信号が供給される。カメラ本体１０１の取り付け作業を一人で行う際には、コネクタを接続するため両手での作業が必要となり、一旦カメラ本体１０１が落下しないように吊り下げチェーン１１２で取付板１０６とカメラ本体１０１を接続しカメラ本体１０１を吊り下げることによってコネクタの嵌合作業を行う。
【０００５】
【発明が解決しようとする課題】
上記のような従来の監視カメラ装置では、カメラ本体を取付板に取り付ける前に電源コネクタおよび信号コネクタを接続する必要があり、コネクタの接続作業の際には両手での作業が必要であり、またコネクタの接続作業のスペースを確保する必要もあるため、一旦カメラ本体を取付板に吊り下げチェーンで吊り下げる必要があり作業性が悪かった。
【０００６】
また、コネクタを接続してからカメラ本体を取付板に取り付けることになるため、その際には取付板側電源ケーブル、取付板側信号ケーブル、カメラ本体側電源ケーブルおよびカメラ本体側信号ケーブルを、取付板の下面とカメラ本体の上面の隙間に収納する必要があり、ケーブルの引き回し処理が困難で、取付板とカメラ本体との間でかみ込みなどの問題が発生してしまい、ケーブルの断線やショート等、不具合発生の可能性があった。
【０００７】
この発明は上記のような課題を解決するためになされたもので、カメラ本体を取付板にチェーンで吊り下げるなどの余分な作業を必要とせず、ケーブルを取付板とカメラ本体の間でかみ込んでしまう等の問題も発生しないもので、カメラ本体の設置工事が容易で、部品点数も削減でき、ケーブルの断線やショートなどの問題も発生しない信頼性の高い監視カメラ装置を得ることを目的としている。
【０００８】
【課題を解決するための手段】
この発明における監視カメラ装置は、外部からの電源および信号が電気的に接続される第１のコネクタを下面に備えた取付板と、第１のコネクタと電気的に接続する第２のコネクタを備えたカメラ本体とからなる監視カメラ装置において、取付板はカメラ本体を固定する複数の第１の嵌合部を備え、カメラ本体は第１の嵌合部と嵌合する第２の嵌合部と、第１のコネクタの方向へ直線移動が可能に、第２のコネクタを搭載するスライド部材とを備え、第２の嵌合部は、カメラ本体を取付板に当接させ回転することにより第１の嵌合部と嵌合し、カメラ本体を取付板に取り付けた状態でスライド部材を第１のコネクタの方向へスライドさせることにより第１のコネクタと第２のコネクタを電気的に接続させるようにした。
【０００９】
また、第２の嵌合部は、カメラ本体を取付板に当接させ回転させると、第１の嵌合部の端面と当接することにより位置決めされる係止部を備え、係止部が第１の嵌合部の端面と当接すると、第２のコネクタが第１のコネクタと嵌合する直線位置に位置決めされるようにした。
【００１０】
さらに、第１の嵌合部の端面と第２の嵌合部の係止部が当接して嵌合すると、第１のコネクタおよび第２のコネクタが同一の高さ位置になるように第１のコネクタおよび第２のコネクタを設置した。
【００１１】
さらにまた、スライド部材は、カメラ本体を取付板に取り付ける際、第１のコネクタと第２のコネクタが接触しない位置に保持される位置決め手段を備えた。
【００１２】
【発明の実施の形態】
以下に添付の図を参照して、この発明に係る監視カメラ装置の実施の形態を詳細に説明する。
【００１３】
実施の形態１．
図１はこの発明における監視カメラ装置の、実施の形態１を表したもので、（ａ）はカメラ本体を取付板に取り付ける前の状態、（ｂ）はカメラ本体を取付板に取り付けた後の状態で横から見た断面図である。図１において、１はカメラ本体で、カメラ２および回転台３、および円筒状をした固定部４により構成される。回転台３の内部には基板（図示せず）、カメラ制御機構（図示せず）を備えていて、回転台３が回転することにより、カメラ２の撮影領域が変更できる。
【００１４】
５はカメラ本体側電源ケーブル、６はカメラ本体側信号ケーブルで、７はカメラ本体側電源ケーブル５とカメラ本体側信号ケーブル６が接続されている第２のコネクタである。従来例ではカメラ本体側電源コネクタ１０４とカメラ本体側信号コネクタ１０５が別々であったものがこの実施の形態１では一体ものとなっている。８は第２のコネクタ７が固定されているスライド部材でたとえば板金でできている。９は取付板に固定するための第２の嵌合部で固定部４の上端円周に沿って４カ所、それぞれ中心に対し略９０度の間隔で備えてある。１０は第２のコネクタ７と嵌合する第１のコネクタでコネクタ固定金具２１によって取付板１３に固定されている。１１は取付板側電源ケーブル、１２は取付板側信号ケーブルでそれぞれ第１のコネクタ１０に接続されている。従来例では取付板側電源コネクタ１１０と取付板側信号コネクタ１１１が別々であったものがこの実施の形態１では一体ものとなっており、コネクタのピン配列は第２のコネクタ７と適合するように構成されている。
【００１５】
１３は取付板で円盤形状をしている。取付板１３は、取付ネジ１４で天井１５に固定されている。また取付板１３はその円周端に第１の嵌合部１６を備えている。第１の嵌合部１６は第２の嵌合部９と嵌合する位置に４カ所備えられている。１７は外部電源ケーブルであり、外部電源ケーブル接続部１８によって取付板１３に固定されている。また、１９は外部信号ケーブルであり、外部信号ケーブル接続部２０によって取付板１３に固定されている。
【００１６】
カメラ本体１を取付板１３に取り付け（図１の（ｂ）の状態）、さらに第２のコネクタ７を第１のコネクタ１０と接続した時点で、外部からの電源は外部電源ケーブル１７、外部電源ケーブル接続部１８、取付板側電源ケーブル１１、第１のコネクタ１０、第２のコネクタ７およびカメラ本体側電源ケーブル５を経由して回転台３の内部の基板（図示せず）に供給される。また同様に外部からの信号は、外部信号ケーブル１９、外部信号ケーブル接続部２０、取付板側信号ケーブル１２、第１のコネクタ１０、第２のコネクタ７およびカメラ本体側信号ケーブル６を経由して回転台３の内部の基板（図示せず）に供給される。
【００１７】
次にカメラ本体１を取付板１３に取り付ける手順を詳細に説明する。図２は実施の形態１の監視カメラ装置の取り付け手順を説明した斜視図である。図では装置を見易くするために天井１５を小さく切り抜いて斜め上方から見ている。図２において（ａ）はカメラ本体１を取付板１３に取り付ける前の図で、（ｂ）は取り付ける途中の図である。図２において図１と同一もしくは相当部材については同一符号を付して説明を省略する。
【００１８】
まず、図２の（ａ）の矢印Ａの方向へカメラ本体１を取付板１３に合わせて当接させる。カメラ本体１を取付板１３に当接させた状態で、４カ所の第１の嵌合部１６と同じく４カ所の第２の嵌合部９を、第２の嵌合部９が第１の嵌合部１６の略コの字状部分に嵌合するように図（ｂ）の矢印Ｂの方向へ回転させる。ここで、４カ所の第２の嵌合部９のうち、対称位置にある２カ所は第１の嵌合部１６の端面と当接する略Ｌ字状に曲がった係止部２２を設けてある。この係止部２２によって、カメラ本体１の回転位置は固定され、この時、第１のコネクタ１０と第２のコネクタ７は向かい合っており、高さ方向の位置および水平方向の位置が一致するので、第２のコネクタ７が固定されたスライド部材８を第１のコネクタ１０の方向に押せば、第２のコネクタ７と第１のコネクタ１０が接続し、電気的にも取付が完了する。
【００１９】
図３は図２のカメラ本体１の取り付け手順を取付板１３の上方から、すなわち天井側から見た図である。図３において、天井１５は省略して示してある。また、図１および図２と同一もしくは相当部材については同一符号を付して説明を省略する。図３の（ａ）は図２の（ｂ）と同一の状態を表し、カメラ本体１を取付板１３に当接させた時で、回転させる前の状態である。図３の（ｂ）はカメラ本体１を回転させ、第２の嵌合部９が第１の嵌合部１６と嵌合し、係止部２２が第１の嵌合部１６の端面に当接し、カメラ本体１の位置が固定された状態を示している。この状態からスライド部材８を第１のコネクタ１０の方向（図では下方）に押せば第２のコネクタ７が第１のコネクタ１０と接続し電気的にも取付が完了する。
【００２０】
次に、カメラ本体１が取付板１３に固定された後の、第１のコネクタ１０および第２のコネクタ７の位置関係について説明する。図４は第１のコネクタ１０および第２のコネクタ７の高さ方向の位置関係を表した図で、カメラ本体１および取付板１３を横から見た断面図である。図４において図１と同一もしくは相当部材については同一符号を付して説明を省略するが、取付板１３の下面から第１のコネクタ１０の高さ方向の中心までの距離（ｈ１）と、カメラ本体１の上端から第２のコネクタ７の高さ方向の中心までの距離（ｈ２）は同一であるように構成されている。
【００２１】
図５はカメラ本体１が取付板１３に固定された後の、第１のコネクタ１０および第２のコネクタ７の水平方向の位置関係を表した図である。図５において図１と同一もしくは相当部材については同一符号を付して説明を省略する。また、図５ではコネクタの位置関係を説明するため、コネクタから伸びるケーブル類は省略して示している。
【００２２】
図５の（ａ）は取付板１３を天井の側から見た図である。（ｂ）はカメラ本体１を同じく天井の側から見た図である。カメラ本体１が取付板１３に固定された状態は、図５の（ａ）が（ｂ）の上に重なった状態となるがこの時のコネクタの位置関係を説明するために別々に表示している。この時、取付板１３の上面の中心線から第１のコネクタ１０の挿入方向の中心線までの水平距離（ｈ３）と、カメラ本体１の上面の中心線から第２のコネクタ７の挿入方向の中心線までの水平距離（ｈ４）は同一となるよう構成されている。また第１のコネクタ１０の先端と第２のコネクタ７の先端は所定の隙間（ｈ５）を有しているのでカメラ本体１が取付板１３に取り付けられる場合は、コネクタ同士が干渉してカメラの取付作業に支障をきたすこともない。
【００２３】
図５の（ｃ）は第２のコネクタ７を搭載したスライド部材８がカメラ本体１の上面に固定されている状態を横から見た断面図である。スライド部材８の中央部には孔２３が空いており、その孔２３に嵌合するように突起２４がカメラ本体１の固定部４の上面から突出している。突起２４は上から押さえると固定部４へ埋入し押さえがないと突出するよう、固定部４の内部から板バネで押し出すように構成されており、スライド部材８を第１のコネクタ１０の方へスライドさせた時は突起２４がスライド部材８によって押され、埋入しスライド部材８が移動可能になる。逆にスライド部材８を引いた時には、突起２４が孔２３に嵌合するまで移動し、その時丁度スライド部材８を上方から摺動可能に固定しているスライド部材固定金具２５の端面がコネクタ取付部２６に当接する寸法となっているので、スライド部材８はこれ以上外側方向には引けずに突起２４が孔２３に嵌合した位置で固定される。
【００２４】
第１のコネクタ１０と第２のコネクタ７は上記のように、図４および図５で説明した位置関係となっているので、カメラ本体１を取付板１３に取り付ける時には、第２のコネクタ７がスライド部材８の位置決め手段である孔２３と突起２４の嵌合によってその位置が第１のコネクタ１０の先端とｈ５の隙間を持って固定されているので、第１のコネクタ１０と第２のコネクタ７は干渉することなしに、カメラ本体１は取付板１３に取り付けが可能である。また、カメラ本体１を取付板１３に取り付けを完了した時点では、第１のコネクタ１０と第２のコネクタ７は向かい合って、高さ方向の位置および水平方向の位置が一致するので、第２のコネクタ７が固定されたスライド部材８を第１のコネクタ１０の方向に押せば、第２のコネクタ７が正しく第１のコネクタ１０に接続され電気的にも取付が完了するのである。ここで、図では第１のコネクタ１０と第２のコネクタ７は同一の大きさのように表したが、実際のコネクタの形状はどちらか一方が凹形状で他方が凸形状をしたハウジングで形成されており嵌合が適切に行われ電気的に接続される。
【００２５】
この実施の形態１では、監視カメラ装置を上記のように構成したので、従来のようにカメラ本体を取付ける前にコネクタを接続する必要がないので、一旦カメラ本体を取付板に吊り下げる必要が無くなり、チェーン等を使って吊り下げる工程が不要となり作業が容易になる。またその分チェーン等の部品も不要となり、コスト低減にもなる。また、予めコネクタの位置及びケーブルの位置が取付板側、カメラ本体側共固定されているので、ケーブルの引き回しなどの処理が不要となり、さらにケーブルのかみ込み等の不具合が発生することもないという従来には無い効果を奏する。
【００２６】
実施の形態２．
図６はこの発明における監視カメラ装置の、実施の形態２を表したもので、（ａ）はカメラ本体を取付板に取り付ける前の状態、（ｂ）はカメラ本体を取付板に取り付けた後の状態で横から見た断面図である。図６において、図１と同一もしくは相当部材については同一符号を付して説明を省略する。
【００２７】
２７はこの実施の形態２における第１の嵌合部であり、取付板１３の周囲４箇所に先端が略Ｌ字状で下方に曲がった形状で設置されている。４箇所の位置は実施の形態１と同一である。４箇所の第１の嵌合部２７のうち、対称位置にある２箇所には、その途中に長方形の長孔２８が設けてある。２９はこの実施の形態２における第２の嵌合部で、第１の嵌合部２７のうちその途中に長方形の長孔２８を設けた２箇所に対応した箇所に設置されている。第２の嵌合部２９は、その途中に上述の長方形の長孔２８と嵌合し、外側に突出したフック３０を備えている。フック３０は外から押されると内側に埋入し離すと突出するよう第２の嵌合部２９の内部からスプリングなどで押し出すように構成されている。従って、第２の嵌合部２９が第１の嵌合部２７に下方から挿入されて取付けられる時には、フック３０は一旦内側に埋入し、長孔２８に合ったところで突出嵌合し、長孔２８に係止するようになる。実際にカメラ本体１を取付板１３に取り付ける時にはカメラ本体１を下方から上方に向かって挿入し、フック３０を長孔２８の位置に合わせれば、ワンタッチで取り付けが可能となる。また、フック３０はフック解除レバー（図示せず）を押すと内側に埋入し、フック解除レバーを離すと復帰して第２の嵌合部２９から突出するように構成されているので、カメラ本体１を取付板１３から取外す時には、フック解除レバーを押してフック３０を長孔２８から外すようにすれば良い。
【００２８】
カメラ本体１を取付板１３に取り付けた後、第２のコネクタ７を第１のコネクタ１０に接続させる手順は実施の形態１と同様である。すなわち、カメラ本体１を取付板１３に取り付けた時点で、第２のコネクタ７は第１のコネクタ１０に向かい合って、高さ方向の位置および水平方向の位置が一致しているので、第２のコネクタ７が固定されたスライド部材８を第１のコネクタ１０の方向に押せば、第２のコネクタ７が正しく第１のコネクタ１０に接続され電気的にも取付が完了する。
【００２９】
この実施の形態２では、上記のように第１の嵌合部２７および第２の嵌合部２９を構成したので、実施の形態１では、カメラ本体１を取付板１３に取り付ける際、初めカメラ本体１を取付板１３に当接させ第２の嵌合部を第１の嵌合部に入るように回転させるという２つの動作が必要であったが、この実施の形態２では第２の嵌合部を第１の嵌合部に合わせて挿入さえすればワンタッチで取り付けることが可能となり、より作業が容易になる。また、従来の監視カメラ装置に比べれば、カメラ本体を取り付ける前にコネクタを接続する必要がないので、一旦カメラ本体を取付板に吊り下げる必要が無くなり、チェーン等を使って吊り下げる工程が不要となり作業が容易になる。またその分チェーン等の部品も不要となり、コスト低減にもなる。また、予めコネクタの位置及びケーブルの位置が取付板側、カメラ本体側共固定されているので、ケーブルの引き回しなどの処理が不要となり、さらにケーブルのかみ込み等の不具合が発生することもないという従来には無い効果を奏する。
【００３０】
実施の形態３．
図７はこの発明における監視カメラ装置の、実施の形態３を表したもので、カメラ本体を取付板に取り付けた状態を表した図である。図７の（ａ）は取付板１３を天井を除いて上方から見た図、（ｂ）はカメラ本体１を上方から見た図である。また（ｃ）はカメラ本体１が取付板１３に取り付いた状態を横から見た外観図である。図７において、図１および図６と同一もしくは相当部材については同一符号を付して説明を省略する。
【００３１】
図７において３１は第１の嵌合部２７を合わせる目印となる嵌合位置決め部で、カメラ本体１上端の固定部４の外側にある。嵌合位置決め部３１は、４箇所の第１の嵌合部２７のうち長孔２８を有しない２箇所に対し、カメラ本体１を取り付けた際、第１の嵌合部２７を両側から挟むように、固定部４の外面に形成されている。
【００３２】
カメラ本体１を取付板１３に取り付ける方法は、実施の形態２と同様である。すなわち、第２の嵌合部２９が第１の嵌合部２７に下方から挿入されて取付けられる時には、フック３０は一旦内側に埋入し、長孔２８に合ったところで突出嵌合するので、カメラ本体１を下方から上方に向かって挿入し、フック３０を長孔２８の位置に合わせれば、ワンタッチで取り付けが可能となる。また、フック３０はフック解除レバー（図示せず）を押すと内側に埋入し、フック解除レバーを離すと復帰して第２の嵌合部２９から突出するように構成されているので、カメラ本体１を取付板１３から取り外す時には、フック解除レバーを押してフック３０を長孔２８から外すようにすれば良い。ここで実施の形態３の場合は嵌合位置決め部３１が固定部４の外側に、対称の位置に２箇所設けてあるので、第２の嵌合部２９を第１の嵌合部２７に挿入する際には、嵌合位置決め部３１を目印に挿入すれば容易に作業ができる。
【００３３】
次に、コネクタを接続する作業も実施の形態２と同様に行えばよい。すなわち、カメラ本体１を取付板１３に取り付けた時点で、第２のコネクタ７は第１のコネクタ１０に向かい合って、高さ方向の位置および水平方向の位置が一致しているので、第２のコネクタ７が固定されたスライド部材８を第１のコネクタ１０の方向に押せば、第２のコネクタ７が正しく第１のコネクタ１０に接続され電気的にも取り付けが完了するのである。
【００３４】
この実施の形態３では上記のように第１の嵌合部２７および第２の嵌合部２９を構成したので、実施の形態２ではフック３０を長孔２８に嵌合させるのにその位置を探しながら合わせる必要があったが、実施の形態３では目印となる嵌合位置決め部３１を合わせれば良く、カメラ本体１の取り付け作業がより簡単になる。また、従来の監視カメラ装置に比べれば、カメラ本体を取付ける前にコネクタを接続する必要がないので、一旦カメラ本体を取付板に吊り下げる必要が無くなり、チェーン等を使って吊り下げる工程が不要となり作業が容易になる。またその分チェーン等の部品も不要となり、コスト低減にもなる。また、予めコネクタの位置及びケーブルの位置が取付板側、カメラ本体側共固定されているので、ケーブルの引き回しなどの処理が不要となり、さらにケーブルのかみ込み等の不具合が発生することもないという従来には無い効果を奏する。
【００３５】
さらに実施の形態１、実施の形態２および実施の形態３では、カメラ本体を取付板に正しく取り付けた後でないと第１のコネクタおよび第２のコネクタが接続できない構造となっているので、コネクタが接続できない時はカメラ本体の取り付けが正しくないということを作業者が把握できるという従来にはない効果も奏する。また、例えばカメラ本体のメンテナンスのためカメラ本体を取り外しおよび再取り付けをする時、もし電源および信号が供給された活電状態であったとしても、コネクタの抜き外しおよび再接続させる時には、カメラ本体が取付板に取り付けられて作業者は活電部には直接触れられない構成となっており、作業上も安全であるという従来にはない優れた効果をも奏する。
【００３６】
【発明の効果】
以上説明したように、この発明における監視カメラ装置は、外部からの電源および信号が電気的に接続される第１のコネクタを下面に備えた取付板と、第１のコネクタと電気的に接続する第２のコネクタを備えたカメラ本体とからなる監視カメラ装置において、取付板はカメラ本体を固定する複数の第１の嵌合部を備え、カメラ本体は第１の嵌合部と嵌合する第２の嵌合部と、第１のコネクタの方向へ直線移動が可能に、第２のコネクタを搭載するスライド部材とを備え、第２の嵌合部は、カメラ本体を取付板に当接させ回転することにより第１の嵌合部と嵌合し、カメラ本体を取付板に取り付けた状態でスライド部材を第１のコネクタの方向へスライドさせることにより第１のコネクタと第２のコネクタを電気的に接続させるようにしたので、カメラ本体を取付板にチェーンで吊り下げるなどの余分な作業を必要とせず、ケーブルを取付板とカメラ本体の間でかみ込んでしまう等の問題も発生しないので、カメラ本体の設置工事が容易で、部品点数も削減でき、ケーブルの断線やショートなどの問題も発生しない信頼性の高い監視カメラ装置を得ることが可能となる。
【００３７】
また、第２の嵌合部は、カメラ本体を取付板に当接させ回転させると、第１の嵌合部の端面と当接することにより位置決めされる係止部を備え、係止部が第１の嵌合部の端面と当接すると、第２のコネクタが第１のコネクタと嵌合する直線位置に位置決めされるようにしたので、カメラ本体を取付板にチェーンで吊り下げてからコネクターを嵌合させる等の余分な作業を必要とせず、またケーブルを取付板とカメラ本体の間でかみ込んでしまう等の問題も発生しないので、カメラ本体の設置工事が容易で、部品点数も削減でき、ケーブルの断線やショートなどの問題も発生しない信頼性の高い監視カメラ装置を得ることが可能となる。
【００３８】
さらに、第１の嵌合部の端面と第２の嵌合部の係止部が当接して嵌合すると、第１のコネクタおよび第２のコネクタが同一の高さ位置になるように第１のコネクタおよび第２のコネクタを設置したので、コネクタの位置決めが不要となるので、カメラ本体の設置工事が容易で、ケーブルの断線やショートなどの問題も発生しない信頼性の高い監視カメラ装置を得ることが可能となる。
【００３９】
さらにまた、スライド部材は、カメラ本体を取付板に取り付ける際、第１のコネクタと第２のコネクタが接触しない位置に保持される位置決め手段を備えたので、カメラ本体を取付板に取り付ける際にコネクタの位置を気にする必要がないので、カメラ本体の設置工事が容易で、ケーブルの断線やショートなどの問題も発生しない信頼性の高い監視カメラ装置を得ることが可能となる。
【００４０】
【図面の簡単な説明】
【図１】  実施の形態１の監視カメラ装置で、カメラ本体を取付板に取り付ける様子を横から見た断面図である。
【図２】  実施の形態１の監視カメラ装置で、カメラ本体を取付板に取り付ける様子を斜め上方から見た斜視図である。
【図３】  実施の形態１の監視カメラ装置で、カメラ本体を取付板に取り付ける様子を上方から見た平面図である。
【図４】  実施の形態１の監視カメラ装置で、コネクタの高さ方向の位置関係を表した図である。
【図５】  実施の形態１の監視カメラ装置で、コネクタの水平方向の位置関係を表した図である。
【図６】  実施の形態２の監視カメラ装置で、カメラ本体を取付板に取り付ける様子を横から見た断面図である。
【図７】  実施の形態３の監視カメラ装置を表した図である。
【図８】  従来の監視カメラ装置を表した図である。
【符号の説明】
１  カメラ本体、７  第２のコネクタ、８  スライド部材、９  第２の嵌合部、１０  第１のコネクタ、１３  取付板、１６  第１の嵌合部、２２係止部、２３孔、２４  突起、２７  第１の嵌合部、２９  第２の嵌合部
【図１】
0003893994.tif 000002
【図２】
0003893994.tif 000003
【図３】
0003893994.tif 000004
【図４】
0003893994.tif 000005
【図５】
0003893994.tif 000006
【図６】
0003893994.tif 000007
【図７】
0003893994.tif 000008
【図８】
0003893994.tif 000009